(57)【要約】      （修正有）【課題】ＰＮ追跡器によりその他の疑似雑音信号を除去することによって、通信品質を改善することができる方法と、これを利用した信号処理装置を提供する。【解決手段】受信した信号を処理して再伝送する装置であって、受信したＲＦ信号を中間周波数に変換する第１処理手段と、アナログ信号である前記中間周波数をデジタル信号に変換し、前記デジタル信号を基底帯域デジタル信号にダウンコンバージョンした後、デジタル信号処理部により再伝送しようとする基地局信号の疑似雑音コードを識別し、その他の疑似雑音信号を除去することによって、デジタル信号処理する第２処理手段と、前記デジタル信号処理した基底帯域デジタル信号をアップコンバージョンし、さらにアナログ信号に変換する第３処理手段と、前記アナログに変換した中間周波数をＲＦ信号に変換する第４処理手段と、を備えてなる。【選択図】  図５
2006166463.tif 000002
【特許請求の範囲】
【請求項１】
有線または無線接続により基地局または通信システムから受信した信号を処理して再伝送する方法であって、
受信したＲＦ信号を中間周波数に変換する第１段階と、
アナログ信号である前記中間周波数をデジタル信号に変換し、前記デジタル信号を基底帯域デジタル信号にダウンコンバージョンした後、デジタル信号処理部により再伝送しようとする基地局信号の疑似雑音コードを識別し、その他の疑似雑音信号を除去することによって、デジタル信号処理する第２段階と、
前記デジタル信号処理した基底帯域デジタル信号をアップコンバージョンし、さらにアナログ信号に変換する第３段階と、
前記アナログに変換した中間周波数をＲＦ信号に変換する第４段階と、を備えることを特徴とする疑似雑音コードの識別及び除去により通信品質を改善させる信号処理方法。
【請求項２】
前記第２段階は、
前記Ａ／Ｄ変換器の出力信号が第１デジタルミキサーにより基底帯域信号に周波数変換されるものの、前記基底帯域信号が分岐されてＰＮ検出器とＰＮ追跡器に入力され、
前記ＰＮ検出器により各信号のパイロットまたは予め知られた信号を検出した後、時間遅延情報、位相情報、振幅情報を抽出してＰＮ追跡器に伝達し、
前記ＰＮ追跡器が、時間によって変化する各パイロットまたは予め知られた信号の時間遅延情報、位相情報、振幅情報を追跡し、その結果からＰＮ生成器が除去しようとする疑似雑音信号を生成させ、加算器／減算器により不要な疑似雑音信号が除去される段階であることを特徴とする請求項１に記載の疑似雑音コードの識別及び除去により通信品質を改善させる信号処理方法。
【請求項３】
有線または無線接続により基地局または通信システムから受信した信号を処理して再伝送する装置であって、
受信したＲＦ信号を中間周波数に変換する第１処理手段と、
アナログ信号である前記中間周波数をデジタル信号に変換し、前記デジタル信号を基底帯域デジタル信号にダウンコンバージョンした後、デジタル信号処理部により再伝送しようとする基地局信号の疑似雑音コードを識別し、その他の疑似雑音信号を除去することによって、デジタル信号処理する第２処理手段と、
前記デジタル信号処理した基底帯域デジタル信号をアップコンバージョンし、さらにアナログ信号に変換する第３処理手段と、
前記アナログに変換した中間周波数をＲＦ信号に変換する第４処理手段と、を備えることを特徴とする疑似雑音コードの識別及び除去により通信品質を改善させる信号処理装置。
【請求項４】
前記第１処理手段は、
基地局から受信したＲＦ信号を低雑音増幅する装置と、
所要帯域以外の信号を除去するために帯域通過フィルタリングする装置と、
ミキサーにより前記ＲＦ信号を中間周波数にダウンコンバージョンする装置と、
前記中間周波数に含まれた雑音成分を除去するためにＳＡＷフィルタリングする装置と、
所要利得を得るために前記中間周波数信号を増幅または減衰させる装置と、を備えることを特徴とする請求項３に記載の疑似雑音コードの識別及び除去により通信品質を改善させる信号処理装置。
【請求項５】
前記第２処理手段は、
Ａ／Ｄ変換器により前記中間周波数信号をデジタル信号に変換する装置と、
前記デジタル信号を基底帯域デジタル信号にダウンコンバージョンする装置と、
前記基底帯域デジタル信号からＰＮ検出器により再伝送しようとする基地局信号の疑似雑音コードを識別し、ＰＮ追跡器によりその他の疑似雑音信号を除去することによって、デジタル信号処理する装置と、を備えることを特徴とする請求項３に記載の疑似雑音コードの識別及び除去により通信品質を改善させる信号処理装置。
【請求項６】
前記デジタル信号処理装置は、
Ａ／Ｄ変換器により前記中間周波数信号をデジタル信号に変換する装置と、
前記デジタル信号を基底帯域信号にダウンコンバージョンする装置と、
前記基底帯域信号をデジタルフィルタを用いてフィルタリングする装置と、
前記基底帯域信号が分岐され、各信号のパイロットまたは予め知られた信号を検出した後、時間遅延情報、位相情報、振幅情報を抽出して、ＰＮ追跡器に伝達する装置と、
時間によって変化する各パイロットまたは予め知られた信号の時間遅延情報、位相情報、振幅情報を追跡し、その結果をＰＮ生成器に伝達する装置と、
前記結果を用いて除去しようとする疑似雑音信号を生成させる装置と、
前記生成した疑似雑音信号を前記基底帯域信号に加算／減算する装置と、
前記基底帯域信号をデジタル信号にアップコンバージョンする装置と、
Ｄ／Ａ変換器により前記デジタル信号を中間周波数に変換する装置と、を備えることを特徴とする請求項３又は５に記載の疑似雑音コードの識別及び除去により通信品質を改善させる信号処理装置。
【請求項７】
前記デジタル信号処理装置は、
前記基底帯域信号が入力され、各信号のパイロットまたは予め知られた信号を検出した後、時間遅延情報、位相情報、振幅情報を抽出して、ＰＮ追跡器に伝達するＰＮ検出器と、
前記ＰＮ検出器により検出された時間遅延情報、位相情報、振幅情報を基準として時間によって変化する各パイロットまたは予め知られた信号の時間遅延情報、位相情報、振幅情報を追跡し、その結果をＰＮ生成器に伝達する少なくとも１つ以上のＰＮ追跡器と、
前記ＰＮ追跡器から受けた結果を用いて除去しようとする疑似雑音信号を生成させる少なくとも１つ以上のＰＮ生成器と、
前記ＰＮ生成器により生成した疑似雑音信号を各ＦＡ別にフィルタリングする少なくとも１つ以上の基底帯域フィルタと、
前記基底帯域フィルタの出力信号を前記第１デジタルフィルタの出力信号に加算／減算し、不要な信号を除去する加算器／減算器と、を備え、
前記ＰＮ追跡器、前記ＰＮ生成器、前記基底帯域フィルタを１つの集合体とするＰＮ除去回路部が各ＦＡ毎に設けられることを特徴とする請求項３又は５に記載の疑似雑音コードの識別及び除去により通信品質を改善させる信号処理装置。
【請求項８】
前記第３処理手段は、
前記デジタル信号処理した基底帯域デジタル信号をアップコンバージョンする装置と、
前記デジタル信号をＤ／Ａ変換器によりアナログ信号である中間周波数に変換する装置と、を備えることを特徴とする請求項３に記載の疑似雑音コードの識別及び除去により通信品質を改善させる信号処理装置。
【請求項９】
前記第４処理手段は、
所要利得を得るために前記中間周波数信号を増幅または減衰させる装置と、
前記中間周波数信号に含まれた不要な信号を除去するために低帯域通過フィルタリングする装置と、
ミキサーにより前記中間周波数信号をＲＦ信号にアップコンバージョンする装置と、
所要利得を得るために前記ＲＦ信号を増幅させる装置と、
所要帯域以外の信号を除去するために帯域通過フィルタリングする装置と、を備えることを特徴とする請求項３に記載の疑似雑音コードの識別及び除去により通信品質を改善させる信号処理装置。
【請求項１０】
有線または無線接続により基地局または通信システムから受信した信号を処理して再伝送する中継装置において、
前記基地局または通信システムと中継装置間の接続は、高周波同軸ケーブル、光線路、ＵＴＰケーブル、有線電話ライン、ＣＡＴＶ網よりなる有線伝送線路群から選ばれるいずれか１つであることを特徴とする疑似雑音コードの識別及び除去により通信品質を改善させる信号処理装置。
【発明の詳細な説明】
【技術分野】
【０００１】
本発明は、無線通信システムの信号処理装置に関し、基地局から受信したＲＦ信号をデジタル信号に変換した後、デジタル信号処理部により前記ＲＦ信号の疑似雑音コードを識別し、不要な疑似雑音信号を除去することによって、通信品質を改善することができ、良質の信号を伝送することができる疑似雑音コードの識別及び除去により通信品質を改善させる方法とこれを利用した信号処理装置に関する。
【背景技術】
【０００２】
従来技術に係る無線通信システムの信号処理装置として、基地局からＲＦ信号を受信し、陰影地域に再伝送する中継装置は、通常、受信したＲＦ信号を単純増幅して伝送する方式、受信したＲＦ信号の周波数を変換した後、伝送する方式、光線路のような伝送媒体を介して受信したＲＦ信号を伝送する方式などが使われている。
【０００３】
図１は、中継装置が設けられた基地局環境を示す概略図であって、第１基地局ＢＴＳ１の既存サービス領域（点線で表示された部分）に陰影地域が発生して、中継装置Ｒにより信号を再伝送する場合を示すものである。一般的に、セル（cell）方式の移動通信システムは、所定領域をカバーする多数の基地局が互いに隣接して設けられ、割り当てられたチャンネル周波数を再使用する方式で運用される。すなわち、図１に示されるように、第１基地局ＢＴＳ１の周囲には、各々のサービス領域を有する第２基地局ＢＴＳ２と第３基地局ＢＴＳ３が隣接しており、図示してはいないが、前述のような基地局が多数個配置され、通信網が構築される。
【０００４】
図２は、一般的な中継装置の信号送受信状態を示す図であって、前記図１で、第１基地局の信号を中継装置を用いて陰影地域に再伝送する場合、前記中継装置の受信アンテナ１０１に引き込まれる信号を示す。図示のように、受信アンテナ１０１には、基本的に、再伝送しようとする第１基地局の信号ｆＢ１が受信され、送信アンテナ１０２により再伝送される信号ｆＢ１Ｒが送出されるように構成されているが、実際の伝搬環境では、前記受信アンテナ１０１に他の基地局の信号ｆＢ２、ｆＢ３、…と一緒に前記送信アンテナ１０２に再伝送された信号ｆＢ１Ｒがフィードバックされて受信されるようになる。
【０００５】
したがって、上記のように、従来の技術に係る中継装置は、受信アンテナを介して再伝送しようとする基地局の信号以外にも、他の基地局や端末機から意図しない多数の不要な信号が混入されたり、送信アンテナに伝送した信号がフィードバックされるので、このような多重干渉信号により通信品質が非常に劣化するという問題点がある。すなわち、前記図２に示されたように、再伝送しようとする信号（実線で表示されたもの）以外にも、多数の不要な信号（点線で表示されたもの）が混在するようになる。
【０００６】
このような問題点を解決するために、従来、図３に示されるような干渉除去システムが開示されている。このような従来技術に係る干渉除去システムは、受信アンテナ１０１により受信したＲＦ信号が増幅器１０３により増幅され、送信アンテナ１０２を介して送出され、前記増幅器１０３の出力信号を信号分配手段１０４により分岐させて、前記ＲＦ信号の振幅と位相を検出した後、位相器１０５、減衰器１０６及び遅延線路１０７により同振幅、逆位相の信号を生成し、これをフィードバックさせて、信号合成手段１０８で合成させることによって、干渉信号を除去する方式を利用した。
【０００７】
しかし、前述のような方式は、システム構成が複雑であり、正確な同振幅、逆位相の信号を得ることが難しくて、干渉信号の除去効率が低下するだけでなく、帯域特性が狭帯域であるから、広い帯域幅を有する信号を処理することができないという問題点がある。
【発明の開示】
【発明が解決しようとする課題】
【０００８】
本発明は、前述のような従来技術の問題点を解決するためになされたもので、本発明の目的は、中継装置が基地局から受信したＲＦ信号をデジタルに変換した後、デジタル信号処理部でＰＮ検出器により再伝送しようとする基地局信号の疑似雑音コードを識別し、ＰＮ追跡器によりその他の疑似雑音信号を除去することによって、通信品質を改善することができる方法と、これを利用した信号処理装置を提供することにある。
【課題を解決するための手段】
【０００９】
前記目的を達成するために、本発明は、有線または無線接続により基地局または通信システムから受信した信号を処理して再伝送する装置であって、受信したＲＦ信号を中間周波数に変換する第１処理手段と、アナログ信号である前記中間周波数をデジタル信号に変換し、前記デジタル信号を基底帯域デジタル信号にダウンコンバージョンした後、デジタル信号処理部により再伝送しようとする基地局信号の疑似雑音コードを識別し、その他の疑似雑音信号を除去することによって、デジタル信号処理する第２処理手段と、前記デジタル信号処理した基底帯域デジタル信号をアップコンバージョンし、さらにアナログ信号に変換する第３処理手段と、前記アナログに変換した中間周波数をＲＦ信号に変換する第４処理手段と、を備えてなる。
【００１０】
前記第１処理手段は、基地局から受信したＲＦ信号を低雑音増幅する装置と、所要帯域以外の信号を除去するために帯域通過フィルタリングする装置と、ミキサーにより前記ＲＦ信号を中間周波数にダウンコンバージョンする装置と、前記中間周波数に含まれた雑音成分を除去するためにＳＡＷフィルタリングする装置と、所要利得を得るために前記中間周波数信号を増幅または減衰させる装置と、を備える。
【００１１】
前記第２処理手段は、Ａ／Ｄ変換器により前記中間周波数信号をデジタル信号に変換する装置と、前記デジタル信号を基底帯域デジタル信号にダウンコンバージョンする装置と、前記基底帯域デジタル信号からＰＮ検出器により再伝送しようとする基地局信号の疑似雑音コードを識別し、ＰＮ追跡器によりその他の疑似雑音信号を除去することによって、デジタル信号処理する装置と、を備える。
【００１２】
前記第３処理手段は、前記デジタル信号処理した基底帯域デジタル信号をアップコンバージョンする装置と、前記デジタル信号をＤ／Ａ変換器によりアナログ信号である中間周波数に変換する装置と、を備える。
【００１３】
前記第４処理手段は、所要利得を得るために前記中間周波数信号を増幅または減衰させる装置と、前記中間周波数信号に含まれた不要な信号を除去するために低帯域通過フィルタリングする装置と、ミキサーにより前記中間周波数信号をＲＦ信号にアップコンバージョンする装置と、所要利得を得るために前記ＲＦ信号を増幅させる装置と、所要帯域以外の信号を除去するために帯域通過フィルタリングする装置と、を備える。
【発明の効果】
【００１４】
本発明は、中継装置が基地局から受信したＲＦ信号をデジタル信号に変換した後、デジタル信号処理部により前記ＲＦ信号のうち再伝送しようとする基地局信号の疑似雑音コードを識別し、その他の疑似雑音信号を除去することによって、通信品質を改善することができる。また、陰影地域の伝搬環境を考慮した事業者の網運用が容易となり、多様な中継システムに対してデジタル信号処理によるソフトウェアーの変更だけで広範囲に適用することができる。また、デジタル信号処理技術を用いて基底帯域において不要な信号を除去することができるので、広帯域化が可能である。
【発明を実施するための最良の形態】
【００１５】
前述の目的、特徴や利点は、後述する本発明の詳細な説明や添付する図面に基づく、より詳細な説明によって明らかになるであろう。以下、添付の図面を参照しながら、本発明に係る好適な実施例を詳細に説明する。
【００１６】
図４は、本発明に係る疑似雑音コードの識別及び除去により通信品質を改善させる信号処理装置の使用を示すブロック図である。同図に示すように、受信アンテナ４０１を介して入力されたＲＦ信号は、受信帯域フィルタ４０２により所要周波数帯域だけがフィルタリングされ、低雑音増幅器４０３により雑音が最大限抑制された状態に増幅され、発振器４０８から局部発振信号を受信し、第１ミキサー４０４を介して中間周波数にダウンコンバージョンされる。また、前記中間周波数信号は、ＳＡＷフィルタ４０５によりフィルタリングされ、第１増幅器４０６と第１減衰器４０７により信号の強度が適宜調整される。
【００１７】
前記中間周波数信号は、Ａ／Ｄ変換器３０１によりデジタル信号に変換され、前記Ａ／Ｄ変換された信号は、デジタル処理部（ＤＳＰ）３０２で、再伝送しようとする基地局信号の疑似雑音コードだけを識別し、その他の疑似雑音信号を除去した後、Ｄ／Ａ変換器３０３によりさらにアナログ信号に変換される。
【００１８】
そして、前記デジタル信号処理によりアナログに変換された信号は、第２増幅器４０９により増幅され、低帯域フィルタ４１０を通過した後、第２減衰器４１１によりレベルが調整された後、第２ミキサー４１２を介してＲＦ信号にアップコンバージョンされる。前記アップコンバージョンされたＲＦ信号は、電力増幅器４１３により増幅され、送信帯域フィルタ４１４により帯域通過フィルタリングされた後、送信アンテナ４１５を介して送信される。
【００１９】
図５は、前記図４の疑似雑音コードの識別及び除去アルゴリズムを示すブロック図であって、その動作は、次の通りである。Ａ／Ｄ変換器５０１でアナログ信号からデジタル信号に変換されたＣＤＭＡ（ＩＳ−９５、ＣＤＭＡ２０００、ＷＣＤＭＡなど）信号及びその他の標準に従う信号は、前記Ａ／Ｄ変換器５０１の出力端から見れば、再伝送しようとする基地局の信号が各々異なる経路を介して受信されると共に、多数の基地局あるいは端末機から受信された信号が存在する。
【００２０】
ここで、前記Ａ／Ｄ変換器５０１の出力信号は、第１デジタルミキサー５０９により基底帯域信号に周波数変換され、前記基底帯域化したＩ、Ｑ信号は、各々第１デジタルフィルタ５０２により通信事業者別周波数または所定の通信標準に従う帯域幅だけが出力される。また、前記基底帯域化したＩ、Ｑ信号は、分岐され、各々第２デジタルフィルタ５０２−１により個別チャンネル（ＣＤＭＡの場合、個別ＦＡ）の信号だけが通過し、前記個別ＦＡ信号は、ＰＮ検出器（Searcher）５０４とＰＮ追跡器（Tracker）５０７に入力される。
【００２１】
前記ＰＮ検出器５０４は、多数の基地局あるいは再伝送しようとする基地局の多重経路信号から各信号のパイロット（Pilot）または予め知られた（preamble）信号を検出し、前記各パイロット信号の時間遅延情報ｔｄ、位相情報Φ、振幅情報Ａを抽出する。前記時間遅延、位相及び振幅情報は、ＰＮ追跡器５０７に伝達され、時間によって変化する各パイロットのｔｄ、Φ、Ａを追跡する。前記ＰＮ追跡器５０７が追跡した結果は、ＰＮ生成器（Generator）５０５に伝達され、前記ＰＮ生成器５０５は、その結果を用いて除去しようとする疑似雑音信号を生成させ、前記生成した信号は、基底帯域フィルタ５０６により個別ＦＡ帯域だけがフィルタリングされた後、第４デジタルミキサー５１０−１を介して前記基底帯域信号がアップコンバージョンされ、加算器／減算器５０８に入力されることによって、不要な疑似雑音信号が除去される。
【００２２】
すなわち、前記ＰＮ検出器５０４により再伝送しようとする基地局の多重経路信号と多数の基地局あるいは端末機から受信された信号のパイロットの時間遅延、位相及び振幅情報が検出されれば、ＰＮ追跡器５０７は、前記情報を基準として時間によって変化する前記信号のパイロットから同じ種類の情報ｔｄ、Φ、Ａを持続的に追跡し、その結果を用いてＰＮ生成器５０５が除去しようとする疑似雑音信号を生成させ、これを加算器／減算器５０８を通過させることによって、不要な信号が除去され、所望の基地局の信号だけが中継されるようにするものである。
【００２３】
また、図５から分かるように、前記ＰＮ追跡器５０７、前記ＰＮ生成器５０５及び前記基底帯域フィルタ５０６は、１つの集合体としてＰＮ除去回路部５００を構成し、前記ＰＮ除去回路部５００がＦＡ毎に設けられ、ＦＡ毎に不要な信号を除去することができる。本発明に係る中継装置は、単一のＦＡだけを再伝送するものに限定されない。
【００２４】
さらに、本発明に係る信号処理装置の第１デジタルフィルタ５０２は、不要な信号の除去方式とは独立的に受信アンテナを介して受信される順方向リンク信号、逆方向リンク信号に関係なく、各通信方式の帯域幅（ＣＤＭＡの場合、１．２３ＭＨｚ、ＷＣＤＭＡの場合、５ＭＨｚなど）でフィルタリングすることによって、帯域外の信号抑圧を向上させることができ、信号純度及び高出力増幅器の効率を向上させることができるものであって、ＦＩＲ（Finite Impulse Response）方式またはＩＩＲ（Infinite Impulse Response）方式などが使われることができる。
【００２５】
図６は、前記図４の疑似雑音コードの識別及び除去アルゴリズムの他の実施例を示すブロック図である。図６は、前記図５でデジタル信号処理のための分岐信号を第１デジタルミキサー５０９から分岐させることなく、第１デジタルフィルタ５０２の出力から分岐させる方式を示す。これは、本発明に係る信号処理装置の具現上における差異に過ぎないもので、前記第１デジタルフィルタ５０２の後段のＰＮ検出器５０４とＰＮ除去回路部５００の構成と動作は、図５と同様である。
【００２６】
図７は、従来技術及び本発明に係る中継装置の疑似雑音コードの除去を示す図であって、図７（ａ）は、従来技術に係る中継装置を示し、図７（ｂ）は、本発明に係る中継装置を示す。図示のように、従来の中継装置は、出力端に目標基地局の疑似雑音コードＰＮ Ａだけでなく、隣接基地局の疑似雑音コードＰＮ Ｂ、ＰＮ Ｃが除去されない状態に中継されるのに対し、本発明の中継装置は、出力端に隣接基地局の疑似雑音コードＰＮ Ｂ、ＰＮ Ｃが除去された状態、または非常に微弱な状態に現れ、目標基地局の疑似雑音コードＰＮ Ａだけが正常に中継されることが分かる。
【００２７】
図８及び図９は、本発明に係る疑似雑音コードの識別及び除去により通信品質を改善させる信号処理装置を利用した中継装置を示すブロック図であり、図８は、基地局からＲＦ信号を受信して再伝送する方式を示し、図９は、伝送線路などにより基地局と有線で接続され、ＲＦ信号を再伝送する方式を示す。
【００２８】
前記図８及び図９によれば、本発明に係る中継装置は、順方向リンクの第１デュプレクサ６０１と第１低雑音増幅器６０２及び第１電力増幅器６０３、そして逆方向リンクの第２デュプレクサ６０４と第２低雑音増幅器６０５及び第２電力増幅器６０６だけを残して、デジタル信号処理装置６００を適用すればよいので、システムの構成が非常に簡単になる。
【００２９】
また、図９に示すように、伝送線路などにより基地局に接続される場合、高周波同軸（coaxial）ケーブル、光（optic）線路、ＵＴＰケーブルなど多様な線路が使われることができる。特に大型建物内において多数個のリモートモジュール（remote module）を使用した分散方式で再伝送する中継装置の場合には、ＶＤＳＬ通信を利用した有線電話ラインやＣＡＴＶ網などが利用されることができる。
【００３０】
したがって、本発明に係る中継装置は、陰影地域の伝搬環境を考慮した事業者の網運用が容易となり、多様な中継システムに対してデジタル信号処理によるソフトウェアーの変更だけで広範囲に適用することができる。また、デジタル信号処理技術を用いて基底帯域において不要な信号を除去することができるので、広帯域化が可能で、既存のアナログ方式の干渉除去システムが有する狭帯域の限界を克服した技術である。すなわち、本発明は、全体帯域幅をデジタル信号処理して、信号をチャンネル別に分析する技術であるから、特定のシステムに限定されずに、ソフトウェアーのアップグレードにより多様な移動通信方式（ＩＳ９５、ＧＳＭ、ＣＤＭＡ２０００、ＷＣＤＭＡなど）に広範囲に適用することができる。
【００３１】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図面の簡単な説明】
【００３２】
【図１】中継装置が設けられた基地局環境を示す概略図である。
【図２】一般的な中継装置の信号送受信状態を示す図である。
【図３】従来技術に係る干渉除去システムを示すブロック図である。
【図４】本発明に係る疑似雑音コードの識別及び除去により通信品質を改善させる信号処理装置の使用を示すブロック図である。
【図５】前記図４の疑似雑音コードの識別及び除去アルゴリズムを示すブロック図である。
【図６】前記図４の疑似雑音コードの識別及び除去アルゴリズムの他の実施例を示すブロック図である。
【図７】従来技術及び本発明に係る中継装置の疑似雑音コードの除去を示す図である。
【図８】本発明に係る疑似雑音コードの識別及び除去により通信品質を改善させる信号処理装置を利用した中継装置を示すブロック図である。
【図９】本発明に係る疑似雑音コードの識別及び除去により通信品質を改善させる信号処理装置を利用した中継装置を示すブロック図である。
【符号の説明】
【００３３】
１００  中継装置
１０１、４０１  受信アンテナ
１０２、４１５  送信アンテナ
１０３  増幅器
１０４  信号分配手段
１０５  位相器
１０６  減衰器
１０７  遅延線路
１０８  信号合成手段
３０１、５０１  Ａ／Ｄ変換器
３０２  デジタル信号処理部
３０３、５０３  Ｄ／Ａ変換器
４０２  受信帯域フィルタ
４０３  低雑音増幅器
４０４  第１ミキサー
４０５  ＳＡＷフィルタ
４０６  第１増幅器
４０７  第１減衰器
４０８  発振器
４０９  第２増幅器
４１０  低帯域通過フィルタ
４１１  第２減衰器
４１２  第２ミキサー
４１３  電力増幅器
４１４  送信帯域フィルタ
５０２、５０２−１  第１及び第２デジタルフィルタ
５０４  ＰＮ検出器
５０５  ＰＮ生成器
５０６  基底帯域フィルタ
５０７  ＰＮ追跡器
５０８  加算器／減算器
５０９、５０９−１  第１及び第２デジタルミキサー
５１０、５１０−１  第３及び第４デジタルミキサー
６０１  第１デュプレクサ
６０２  第１低雑音増幅器
６０３  第１電力増幅器
６０４  第２デュプレクサ
６０５  第２低雑音増幅器
６０６  第２電力増幅器
６０７  伝送線路
【図１】
2006166463.tif 000003
【図２】
2006166463.tif 000004
【図３】
2006166463.tif 000005
【図４】
2006166463.tif 000006
【図５】
2006166463.tif 000007
【図６】
2006166463.tif 000008
【図７】
2006166463.tif 000009
【図８】
2006166463.tif 000010
【図９】
2006166463.tif 000011